(57)【要約】【課題】ユーザからの距離に応じた視認しやすいスクロール速度で表示を行う。【解決手段】本体に装着された操作部及び遠隔操作用のリモコン装置からの操作信号に基づき、情報を表示部に表示する楽曲記録再生装置において、入力される操作信号が操作部からの操作信号か又は受信部で受信されたリモコン装置からの操作信号かを判断し（ステップＳ２）、その判断の結果、入力操作信号が受信部で受信された操作信号である場合に（ステップＳ２；ＹＥＳ）、操作部からの操作信号の場合よりも表示部に表示される情報のスクロール速度を速くする（ステップＳ４）。さらに、リモコン装置からの操作について、受信部で受信された操作信号の強度に応じて、表示部に表示される情報のスクロール速度を変更することとしてもよい。【選択図】図３
2009140600.tif 000002
【特許請求の範囲】
【請求項１】
本体に装着された本体操作部及び遠隔操作用のリモコン装置からの操作信号に基づき、情報を表示部に表示する表示装置において、
前記リモコン装置からの操作信号を受信する受信部と、
入力される操作信号が前記本体操作部からの操作信号か又は前記受信部で受信された操作信号かを判断し、その判断の結果、入力操作信号が前記受信部で受信された操作信号であると判断した場合に、前記本体操作部からの操作信号の場合よりも前記表示部に表示される情報のスクロール速度を速くする制御部と、
を備える表示装置。
【請求項２】
前記制御部は、前記入力される操作信号が前記受信部で受信された操作信号であると判断した場合に、前記受信部で受信された操作信号の強度に応じて、前記表示部に表示される情報のスクロール速度を変更する、
請求項１に記載の表示装置。
【請求項３】
前記制御部は、前記受信部で受信された操作信号の強度が弱いほど、前記表示部に表示される情報のスクロール速度をより速くする、
請求項２に記載の表示装置。
【請求項４】
前記リモコン装置からの操作信号は不可視光であり、
前記受信部は、前記不可視光の光量を当該光量に応じた電圧値に変換し、
前記制御部は、当該電圧値に応じて、前記表示部に表示される情報のスクロール速度を変更する、
請求項２又は３に記載の表示装置。
【請求項５】
請求項１から４のいずれか一項に記載の表示装置を備える情報記録／再生装置。
【請求項６】
本体に装着された本体操作部及び遠隔操作用のリモコン装置からの操作信号に基づき、情報を表示部に表示する表示方法において、
入力される操作信号が前記本体操作部からの操作信号か又は受信部で受信された前記リモコン装置からの操作信号かを判断し、その判断の結果、入力操作信号が前記受信部で受信された操作信号であると判断した場合に、前記本体操作部からの操作信号の場合よりも前記表示部に表示される情報のスクロール速度を速くする表示方法。
【請求項７】
本体に装着された本体操作部及び遠隔操作用のリモコン装置からの操作信号に基づき、情報を表示部に表示する表示装置に搭載されるコンピュータのプログラムにおいて、
前記コンピュータを、
前記リモコン装置からの操作信号を受信する受信部、
入力される操作信号が前記本体操作部からの操作信号か又は前記受信部で受信された操作信号かを判断し、その判断の結果、入力操作信号が前記受信部で受信された操作信号であると判断した場合に、前記本体操作部からの操作信号の場合よりも前記表示部に表示される情報のスクロール速度を速くする制御部、
として機能させるためのプログラム。
【発明の詳細な説明】
【技術分野】
【０００１】
本発明は、表示装置、情報記録／再生装置、表示方法及びプログラムに関する。
【背景技術】
【０００２】
従来、音楽や動画等を記録／再生する情報記録／再生装置では、本体に設けられた表示部に操作内容や曲名等の情報を表示するものが多い。表示部に表示する文字列が長い場合には、文字列を横にスクロールして全ての文字列を表示している。スクロール速度は、ユーザが文字列を視認可能な範囲でできるだけ速くした方が文字列全体を判断するのに効率が良い。
【０００３】
スクロール速度を変更可能な装置として、情報の記録時に、記録速度に応じてメッセージのスクロール速度を調整する情報記録装置が提案されている（特許文献１参照）。例えば、通常より高速のダビングを行う際には、スクロール速度を速くしている。
【特許文献１】特開２００２−０９３１２９号公報
【発明の開示】
【発明が解決しようとする課題】
【０００４】
しかしながら、上記従来技術のように、記録速度に応じてスクロール速度を変更する装置もあるが、一般的には、ユーザからの速度変更指示がない限り、スクロール速度は一定であった。
【０００５】
また、文字列を視認可能なスクロール速度は、ユーザと表示部との距離によって変化する。ユーザにとって表示部が比較的近い場合にスクロール速度が速いと、スクロールする文字列の単位時間の移動に対する視野角が大きいために文字列を視認しづらいが、表示部が遠い場合には、スクロール速度が速くても文字列を視認することが可能である。しかし、従来は、ユーザが表示部の近くから操作する場合でも、表示部から離れた位置から遠隔操作する場合でも、同じ速度でスクロールされていた。
【０００６】
本発明は上記の従来技術における問題に鑑みてなされたものであって、ユーザからの距離に応じた視認しやすいスクロール速度で表示を行うことを課題とする。
【課題を解決するための手段】
【０００７】
上記課題を解決するために、請求項１に記載の発明は、本体に装着された本体操作部及び遠隔操作用のリモコン装置からの操作信号に基づき、情報を表示部に表示する表示装置において、前記リモコン装置からの操作信号を受信する受信部と、入力される操作信号が前記本体操作部からの操作信号か又は前記受信部で受信された操作信号かを判断し、その判断の結果、入力操作信号が前記受信部で受信された操作信号であると判断した場合に、前記本体操作部からの操作信号の場合よりも前記表示部に表示される情報のスクロール速度を速くする制御部と、を備える。
【０００８】
請求項２に記載の発明は、請求項１に記載の表示装置において、前記制御部は、前記入力される操作信号が前記受信部で受信された操作信号であると判断した場合に、前記受信部で受信された操作信号の強度に応じて、前記表示部に表示される情報のスクロール速度を変更する。
【０００９】
請求項３に記載の発明は、請求項２に記載の表示装置において、前記制御部は、前記受信部で受信された操作信号の強度が弱いほど、前記表示部に表示される情報のスクロール速度をより速くする。
【００１０】
請求項４に記載の発明は、請求項２又は３に記載の表示装置において、前記リモコン装置からの操作信号は不可視光であり、前記受信部は、前記不可視光の光量を当該光量に応じた電圧値に変換し、前記制御部は、当該電圧値に応じて、前記表示部に表示される情報のスクロール速度を変更する。
【００１１】
請求項５に記載の発明は、請求項１から４のいずれか一項に記載の表示装置を備える情報記録／再生装置である。
【００１２】
請求項６に記載の発明は、本体に装着された本体操作部及び遠隔操作用のリモコン装置からの操作信号に基づき、情報を表示部に表示する表示方法において、入力される操作信号が前記本体操作部からの操作信号か又は受信部で受信された前記リモコン装置からの操作信号かを判断し、その判断の結果、入力操作信号が前記受信部で受信された操作信号であると判断した場合に、前記本体操作部からの操作信号の場合よりも前記表示部に表示される情報のスクロール速度を速くする。
【００１３】
請求項７に記載の発明は、本体に装着された本体操作部及び遠隔操作用のリモコン装置からの操作信号に基づき、情報を表示部に表示する表示装置に搭載されるコンピュータのプログラムにおいて、前記コンピュータを、前記リモコン装置からの操作信号を受信する受信部、入力される操作信号が前記本体操作部からの操作信号か又は前記受信部で受信された操作信号かを判断し、その判断の結果、入力操作信号が前記受信部で受信された操作信号であると判断した場合に、前記本体操作部からの操作信号の場合よりも前記表示部に表示される情報のスクロール速度を速くする制御部、として機能させるためのプログラムである。
【発明の効果】
【００１４】
本発明によれば、リモコン装置からの操作信号が受信された場合に、本体操作部からの操作信号が入力された場合よりも表示部に表示される情報のスクロール速度を速くするので、ユーザからの距離に応じた視認しやすいスクロール速度で表示を行うことができる。
【発明を実施するための最良の形態】
【００１５】
［第１の実施の形態］
まず、本発明の第１の実施の形態における情報記録／再生装置としての楽曲記録再生装置１００について説明する。
【００１６】
図１に、楽曲記録再生装置１００の機能的構成を示す。図１に示すように、楽曲記録再生装置１００は、制御部１０、操作部２０、表示部３０、受信部４０、記憶部５０、再生部６０、記録部７０等を備えて構成され、各部はバスにより接続されている。
【００１７】
制御部１０は、ＣＰＵ（Central Processing Unit）、ＲＡＭ（Random Access Memory）等から構成され、楽曲記録再生装置１００の各部の処理動作を統括的に制御する。具体的には、ＣＰＵは、操作部２０から入力される操作信号又は受信部４０により受信されるリモコン装置（Remote Controller）２００からの操作信号に応じて、記憶部５０に記憶されている各種処理プログラムを読み出し、ＲＡＭ内に形成されたワークエリアに展開し、当該プログラムとの協働により各種処理を行う。
【００１８】
操作部２０は、楽曲記録再生装置１００の本体に装着された本体操作部であり、ユーザによる操作を受け付ける。操作部２０は、方向指示キーや決定キー、再生キー等の各種キーを備え、各キーが押下された場合に、各キーに対応する操作信号を制御部１０に出力する。
【００１９】
表示部３０は、ＬＣＤ（Liquid Crystal Display）を備え、制御部１０から出力される制御信号に従って、各種画面を表示する。表示内容が表示部３０の表示画面に一度に表示できない場合には、制御部１０は、情報の先頭から順次表示内容を左に移動させて（スクロールして）、表示させる。
【００２０】
受信部４０は、リモコン装置２００から送信された操作信号を受信し、その受信された操作信号の強度に応じた電圧値をデジタル信号に変換して制御部１０に出力する。
【００２１】
ここで、図２に、リモコン操作信号として赤外光（不可視光）を用いた場合の受信部４０の構成例を示す。図２に示すように、受信部４０は、リモコン装置２００から送信された赤外光を受光するフォトトランジスタ４１、負荷抵抗４２、Ａ／Ｄ変換器４３を備える。
【００２２】
いま、フォトトランジスタ４１にリモコン装置２００から送信された赤外光が入射すると、フォトトランジスタ４１はＯＮとなり、コレクタ電流が流れる。このコレクタ電流はフォトトランジスタ４１に入射された赤外光の光量（すなわち、操作信号の強度）に対応した値となる。このコレクタ電流の増減に対応して負荷抵抗４２の両端の電圧値Ｖｄが変化する。この電圧値Ｖｄは、Ａ／Ｄ変換器４３によりデジタル信号に変換されて出力される。
【００２３】
具体的には、フォトトランジスタ４１が受ける赤外光の光量が多いほど（すなわち、リモコン装置２００が近いほど）、受信部４０から制御部１０に出力される電圧値Ｖｄは高くなり、フォトトランジスタ４１が受ける赤外光の光量が少ないほど（すなわち、リモコン装置２００が遠いほど）、受信部４０から制御部１０に出力される電圧値Ｖｄは低くなる。
【００２４】
記憶部５０は、各種データを記憶するための記憶装置である。記憶部５０には、制御部１０により実行される各種処理プログラム、音楽ファイル、スクロール速度（速度Ａ、速度Ｂ）等が記憶される。
【００２５】
音楽ファイルは、ＭＰ３（MPEG Audio Layer-3）、ＷＭＡ（Windows Media(登録商標) Audio）、ＡＡＣ（Advanced Audio Coding）等の形式の音楽データである。音楽ファイルのタグ情報には、楽曲名、アーティスト名、アルバム名等が含まれている。
【００２６】
スクロール速度とは、表示部３０に情報をスクロールして表示する際の速度である。ここで、速度Ａは、操作部２０において操作を受け付けた場合のスクロール速度（通常速度）である。速度Ｂは、受信部４０によりリモコン装置２００からの操作信号が受信された場合のスクロール速度であり、速度Ａより速い。速度Ａ及び速度Ｂの値は、予め定められている。
【００２７】
再生部６０は、制御部１０からの指示に従って、記憶部５０に記憶されている再生対象の音楽ファイルに基づいて、音楽データをアナログ信号に変換し、スピーカから音声を出力する。また、再生部６０は、ＣＤ（Compact Disc）やＭＤ（MiniDisc）等に記録された音楽ファイルの再生を行うこととしてもよい。
【００２８】
記録部７０は、制御部１０からの指示に従って、音楽ファイルをＣＤ−Ｒ（ＣＤ−Recordable）やＭＤ等に記録する。
【００２９】
一般に、操作部２０から操作を行う場合には、ユーザは楽曲記録再生装置１００に手が届く距離、すなわち、楽曲記録再生装置１００から近い位置にいると考えられるが、リモコン装置２００で遠隔操作を行う場合には、楽曲記録再生装置１００から離れた位置にいると考えられる。
【００３０】
制御部１０は、操作部２０及びリモコン装置２００からの操作信号に基づき、情報を表示部３０に表示させる。ここで、「情報」には、操作信号に応じて表示される情報だけでなく、楽曲記録再生装置１００が実行中の処理に関する情報も含まれる。
【００３１】
制御部１０は、入力される操作信号が操作部２０からの操作信号か又は受信部４０で受信された操作信号かを判断し、その判断の結果、入力操作信号が受信部４０で受信された操作信号であると判断した場合に、操作部２０からの操作信号の場合よりも表示部３０に表示される情報のスクロール速度を速くする。具体的には、制御部１０は、操作部２０からの操作信号が入力された場合には表示部３０に速度Ａでスクロール表示を行わせ、受信部４０で受信された操作信号が入力された場合には表示部３０に速度Ｂ（速度Ｂ＞速度Ａ）でスクロール表示を行わせる。
【００３２】
リモコン装置２００は、楽曲記録再生装置１００を遠隔操作するためのものであり、制御部、操作部、記憶部、送信部等を備え、ユーザが操作部において操作した内容に応じた操作信号を送信する。具体的には、リモコン装置２００は、操作内容に応じて変調された赤外光を出力する。
【００３３】
次に、楽曲記録再生装置１００の動作を説明する。
図３は、楽曲記録再生装置１００において実行される処理を示すフローチャートである。この処理は、制御部１０のＣＰＵと、記憶部５０に記憶されているプログラムとの協働によるソフトウェア処理によって実現される。
【００３４】
まず、制御部１０により、操作部２０又は受信部４０から操作信号が入力されたか否かが判断される（ステップＳ１）。具体的には、制御部１０により、操作部２０から各キーに対応する操作信号が入力されたか、又は、受信部４０によりリモコン装置２００からの操作信号が受信されたか、いずれかの操作が受け付けられたか否かが判断される。制御部１０に操作信号が入力されない場合には（ステップＳ１；ＮＯ）、ステップＳ１に戻る。
【００３５】
制御部１０に操作信号が入力された場合には（ステップＳ１；ＹＥＳ）、制御部１０により、この操作信号がリモコン装置２００による操作に基づくものであるか否か、すなわち、受信部４０で受信された操作信号であるか否かが判断される（ステップＳ２）。
【００３６】
入力操作信号がリモコン装置２００による操作に基づくものでない場合（ステップＳ２；ＮＯ）、すなわち、操作部２０からの操作信号である場合には、制御部１０により、表示部３０に表示される情報のスクロール速度が速度Ａ（通常速度）にされる（ステップＳ３）。
【００３７】
一方、入力操作信号がリモコン装置２００による操作に基づくものである場合（ステップＳ２；ＹＥＳ）、すなわち、受信部４０で受信された操作信号である場合には、制御部１０により、表示部３０に表示される情報のスクロール速度が速度Ｂ（速度Ｂ＞速度Ａ）にされる（ステップＳ４）。
以上で処理が終了する。
【００３８】
図４（ａ）、（ｂ）及び（ｃ）に、表示部３０に表示される画面例を示す。ここでは、楽曲名が「MUSICTITLE123」、アーティスト名が「ARTISTNAMEBBB」の音楽ファイルを再生している場合の例を示す。図４（ａ）、図４（ｂ）、図４（ｃ）は、「MUSICTITLE123  ARTISTNAMEBBB」という文字列がスクロール表示される様子を順に示したものである。この文字列は順次左に移動され、文字列全てが表示されると、また文字列の先頭から繰り返し表示される。この文字列の移動速度が、操作部２０から操作した場合には速度Ａとなり、リモコン装置２００から操作した場合には速度Ｂとなる。スクロール表示される情報は、文字列に限らず、記号・符号・図形等であってもよい。
【００３９】
以上説明したように、第１の実施の形態の楽曲記録再生装置１００によれば、リモコン装置２００からの操作信号が受信された場合に、操作部２０からの操作信号が入力された場合よりも表示部３０に表示される情報のスクロール速度を速くするので、ユーザからの距離に応じた視認しやすいスクロール速度で表示を行うことができる。
【００４０】
したがって、ユーザが楽曲記録再生装置１００に近い位置から操作を行う場合には、視認しやすいようにスクロール速度を遅めにすることができる。一方、ユーザが楽曲記録再生装置１００から離れた位置から操作を行う場合には、スクロール速度が比較的速くても視認可能であるため、情報量を優先させることができる。
【００４１】
［第２の実施の形態］
次に、本発明の第２の実施の形態における情報記録／再生装置としての楽曲記録再生装置について説明する。第２の実施の形態における楽曲記録再生装置は、第１の実施の形態に示した楽曲記録再生装置１００と同様の構成によってなるため、同一の構成部分については同一の符号を付し、その構成については図示及び説明を省略する。以下、第２の実施の形態に特徴的な構成及び処理について説明する。
【００４２】
第２の実施の形態の楽曲記録再生装置では、操作信号が入力された場合に、入力される操作信号が操作部２０からの操作信号か又は受信部４０で受信された操作信号かに基づいてスクロール速度を変更するのに加えて、さらに、受信部４０で受信された操作信号の強度に応じてスクロール速度を変更する。
【００４３】
記憶部５０には、スクロール速度（速度Ａ、速度Ｂ）に代えて、スクロール速度（速度Ｃ）と、速度対応テーブル５１とが記憶されている。速度Ｃは、操作部２０において操作を受け付けた場合のスクロール速度（通常速度）である。速度対応テーブル５１は、受信部４０によりリモコン装置２００からの操作信号が受信された場合の受信部４０から出力される電圧値Ｖｄとスクロール速度とを対応付けたテーブルである。図５に、速度対応テーブル５１の例を示す。図５に示すように、電圧値ＶｄがＶ１以上の場合には速度Ｄ、電圧値ＶｄがＶ２（Ｖ２＜Ｖ１）以上Ｖ１未満の場合には速度Ｅ、電圧値ＶｄがＶ２未満の場合には速度Ｆである。速度Ｄは速度Ｃより速く、速度Ｅは速度Ｄより速く、速度Ｆは速度Ｅより速い。Ｖ１及びＶ２の値、速度Ｃ、速度Ｄ、速度Ｅ及び速度Ｆの値は、予め定められている。
【００４４】
制御部１０は、入力される操作信号が操作部２０からの操作信号か又は受信部４０で受信された操作信号かを判断し、その判断の結果、入力操作信号が受信部４０で受信された操作信号であると判断した場合に、操作部２０からの操作信号の場合よりも表示部３０に表示される情報のスクロール速度を速くする。
【００４５】
また、制御部１０は、入力される操作信号が受信部４０で受信された操作信号であると判断した場合に、受信部４０で受信された操作信号の強度に応じて、表示部３０に表示される情報のスクロール速度を変更する。制御部１０は、受信部４０で受信された操作信号の強度が弱いほど、表示部３０に表示される情報のスクロール速度をより速くする。操作信号の強度は、受信部４０から出力される電圧値Ｖｄに対応しており、操作信号の強度が強いほど、電圧値Ｖｄが大きくなる。
【００４６】
具体的には、制御部１０は、操作部２０からの操作信号が入力された場合には、表示部３０に速度Ｃでスクロール表示を行わせる。また、制御部１０は、受信部４０で受信された操作信号が入力された場合、受信部４０から出力される電圧値ＶｄがＶ１以上のときには速度Ｄ（速度Ｄ＞速度Ｃ）、受信部４０から出力される電圧値ＶｄがＶ２以上Ｖ１未満のときには速度Ｅ（速度Ｅ＞速度Ｆ）、受信部４０から出力される電圧値ＶｄがＶ２未満のときには速度Ｆ（速度Ｆ＞速度Ｅ）で表示部３０にスクロール表示を行わせる。
【００４７】
次に、第２の実施の形態の楽曲記録再生装置の動作を説明する。
図６は、第２の実施の形態の楽曲記録再生装置において実行される処理を示すフローチャートである。この処理は、制御部１０のＣＰＵと、記憶部５０に記憶されているプログラムとの協働によるソフトウェア処理によって実現される。
【００４８】
まず、制御部１０により、操作部２０又は受信部４０から操作信号が入力されたか否かが判断される（ステップＳ１１）。具体的には、制御部１０により、操作部２０から各キーに対応する操作信号が入力されたか、又は、受信部４０によりリモコン装置２００からの操作信号が受信されたか、いずれかの操作が受け付けられたか否かが判断される。制御部１０に操作信号が入力されない場合には（ステップＳ１１；ＮＯ）、ステップＳ１１に戻る。
【００４９】
制御部１０に操作信号が入力された場合には（ステップＳ１１；ＹＥＳ）、制御部１０により、この操作信号がリモコン装置２００による操作に基づくものであるか否か、すなわち、受信部４０で受信された操作信号であるか否かが判断される（ステップＳ１２）。
【００５０】
入力操作信号がリモコン装置２００による操作に基づくものでない場合（ステップＳ１２；ＮＯ）、すなわち、操作部２０からの操作信号である場合には、制御部１０により、表示部３０に表示される情報のスクロール速度が速度Ｃ（通常速度）にされる（ステップＳ１３）。
【００５１】
一方、入力操作信号がリモコン装置２００による操作に基づくものである場合（ステップＳ１２；ＹＥＳ）、すなわち、受信部４０で受信された操作信号である場合には、制御部１０により、受信部４０から出力された電圧値ＶｄがＶ１以上であるか否か、Ｖ２以上であるか否かが判断される（ステップＳ１４、ステップＳ１５）。
【００５２】
受信部４０から出力された電圧値ＶｄがＶ１以上である場合には（ステップＳ１４；ＹＥＳ）、制御部１０により、速度対応テーブル５１が参照され、「Ｖ１以上」に対応する「速度Ｄ」が読み出される。そして、制御部１０により、表示部３０に表示される情報のスクロール速度が速度Ｄ（速度Ｄ＞速度Ｃ）にされる（ステップＳ１６）。
【００５３】
受信部４０から出力された電圧値ＶｄがＶ２以上Ｖ１未満である場合には（ステップＳ１４；ＮＯ，ステップＳ１５；ＹＥＳ）、制御部１０により、速度対応テーブル５１が参照され、「Ｖ２以上Ｖ１未満」に対応する「速度Ｅ」が読み出される。そして、制御部１０により、表示部３０に表示される情報のスクロール速度が速度Ｅ（速度Ｅ＞速度Ｄ）にされる（ステップＳ１７）。
【００５４】
受信部４０から出力された電圧値ＶｄがＶ２未満である場合には（ステップＳ１４；ＮＯ，ステップＳ１５；ＮＯ）、制御部１０により、速度対応テーブル５１が参照され、「Ｖ２未満」に対応する「速度Ｆ」が読み出される。そして、制御部１０により、表示部３０に表示される情報のスクロール速度が速度Ｆ（速度Ｆ＞速度Ｅ）にされる（ステップＳ１８）。
以上で処理が終了する。
【００５５】
以上説明したように、第２の実施の形態の楽曲記録再生装置によれば、リモコン装置２００からの操作信号が受信された場合に、操作部２０からの操作信号が入力された場合よりも表示部３０に表示される情報のスクロール速度を速くするので、ユーザからの距離に応じた視認しやすいスクロール速度で表示を行うことができる。
【００５６】
また、受信部４０により操作信号が受信された場合に、操作信号の強度に応じて、表示部３０に表示される情報のスクロール速度を変更するので、ユーザからの距離に応じたスクロール速度で表示を行うことができる。具体的には、操作信号の強度を検出するために、赤外光の光量を当該光量に応じた電圧値Ｖｄに変換する方法を用い、電圧値Ｖｄに応じて、表示部３０に表示される情報のスクロール速度を変更することができる。
【００５７】
また、受信部４０で受信された操作信号の強度が弱いほど、表示部３０に表示される情報のスクロール速度をより速くするので、ユーザからの距離が長くなるに従って、より多くの情報量を短時間のうちに表示することができる。
【００５８】
なお、上記各実施の形態における記述は、本発明に係る情報記録／再生装置の例であり、これに限定されるものではない。装置を構成する各部の細部構成及び細部動作に関しても本発明の趣旨を逸脱することのない範囲で適宜変更可能である。
【００５９】
例えば、上記各実施の形態では、表示部３０の表示画面に対して横方向にスクロールする場合について説明したが、表示部３０の表示画面に対して縦方向にスクロールする場合にも適用可能である。
【００６０】
また、上記各実施の形態では、リモコン装置２００から発せられる不可視光として赤外光を用いる場合について説明したが、赤外光以外の不可視光を用いてもよい。
【００６１】
また、上記各実施の形態では、音楽ファイルを記録・再生する装置について説明したが、音楽に限らず、動画等を記録・再生する装置にも適用可能である。また、音楽や動画等の情報の記録（録音・録画）のみを行う情報記録装置や、再生のみを行う情報再生装置にも適用可能である。また、スクロール速度の制御対象となる表示装置又は情報記録／再生装置は、家庭や施設等に固定して設置されるものでもよいし、車載用でもよい。
【００６２】
また、上記第１の実施の形態では、操作部２０及びリモコン装置２００のいずれかの操作であることを判別することにより、表示部３０における情報のスクロール速度を制御したが、操作部２０の他の形態として、リモコン装置２００を本体に装着して本体を操作することもある。
【００６３】
このような形態においては、制御部１０は、リモコン装置２００が本体に装着されていることを検出することにより、本体に装着されているリモコン装置２００による操作を操作部２０による操作とみなし、リモコン装置２００が本体に装着されていない場合には、リモコン装置２００による遠隔操作であるとして、表示部３０における情報のスクロール速度を速くすることとしてもよい。
【００６４】
また、上記第２の実施の形態では、受信部４０により操作信号が受信された場合に、操作信号の強度に応じて、スクロール速度を３段階（速度Ｄ、速度Ｅ、速度Ｆ）に変更する場合について説明したが、より多くの段階に区切ってスクロール速度を制御することとしてもよい。また、操作信号の強度に応じて、スクロール速度をなだらかに変化させることとしてもよい。
【００６５】
以上の説明では、各処理を実行するためのプログラムを格納したコンピュータ読み取り可能な媒体として記憶部５０を使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【図面の簡単な説明】
【００６６】
【図１】本発明の第１の実施の形態における楽曲記録再生装置の機能的構成を示すブロック図である。
【図２】受信部の回路構成図である。
【図３】第１の実施の形態の楽曲記録再生装置において実行される処理を示すフローチャートである。
【図４】（ａ）、（ｂ）及び（ｃ）は、表示部に表示される画面例である。
【図５】速度対応テーブルのデータ構成例である。
【図６】第２の実施の形態の楽曲記録再生装置において実行される処理を示すフローチャートである。
【符号の説明】
【００６７】
１０  制御部
２０  操作部
３０  表示部
４０  受信部
４１  フォトトランジスタ
４２  負荷抵抗
４３  Ａ／Ｄ変換器
５０  記憶部
５１  速度対応テーブル
６０  再生部
７０  記録部
１００  楽曲記録再生装置
２００  リモコン装置
【図１】
2009140600.tif 000003
【図２】
2009140600.tif 000004
【図３】
2009140600.tif 000005
【図４】
2009140600.tif 000006
【図５】
2009140600.tif 000007
【図６】
2009140600.tif 000008